(57)【特許請求の範囲】
【請求項１】
装置ケースの相隣接する３つの面を、それぞれ開閉可能な第１，第２，第３カバーで構成し，各カバーには，閉じたときに装置内へ向かう突部を設けるとともに、これら第１，第２，第３カバーが設けられている３つの面で形成される角部内側に，インターロック機構を設け，
このインターロック機構は，
装置への供給電源をオン／オフするスイッチと、
このスイッチをオンさせない非作動位置とオンさせる作動位置とをとり得る第１部材と、
装置内に起立した側部フレームの側面に沿ってスライドおよび揺動可能に取り付けられ，前記第１カバーが閉じられたとき第１カバーの突部と当接してスライドし，前記第２カバーが閉じられたとき第２カバーの突部と当接して揺動し，前記第１カバーおよび第２カバーがともに閉じられたときにのみスライドかつ揺動することで上記第１部材を上記非作動位置から作動可能位置へ移動させる第２部材と、
前記装置内に起立した側部フレームに直交する水平軸で該フレームの側面に沿って回動可能に取り付けられ，かつ前記第１部材が前記水平軸とは別の水平軸で回動可能に取り付けられていて，前記第３カバーが閉じられたとき第３カバーの突部と当接して揺動することで，上記第１部材を上記非作動位置から作動可能位置へ移動させる第３部材とを備え、
上記第１カバーおよび第２カバーがともに閉じられることで第２部材がスライドかつ揺動して上記第１部材を作動可能位置に移動させ，かつ第３部材が第３カバーの突部と当接して揺動し上記第１部材を作動可能位置に移動させた場合にのみ、当該第１部材が上記作動位置をとるインターロック機構であることを特徴とする画像形成装置。
【発明の詳細な説明】
【０００１】
【発明の属する技術分野】
本発明は、インターロック機構を用いた画像形成装置に関する。主として、用紙等のシート（以下単に用紙または紙ともいう）に画像（文字等を含む）を形成するプリンター、ファクシミリ、複写機等の画像形成装置におけるカバー開閉技術に関するものである。
【０００２】
【従来の技術】
一般に、用紙に画像を形成する画像形成装置においては、その紙搬送経路中において、しばしば紙詰まりが生じる。また、装置内に組み込まれたユニットを着脱する必要もある。
詰まった紙を除去することができるように、あるいはまた上記ユニットを着脱できるように、通常、装置のケースにはカバーが設けられている。
【０００３】
【発明が解決しようとする課題】
詰まった紙を容易に除去することができるように、また、上記ユニットを容易に着脱できるようにするには、装置ケースの相隣接する３つの面、例えば上面と前面と、側面とを、それぞれ開閉可能なカバーで構成することが望まれる。
一方、カバーの開閉時には、インターロック機構により装置の供給電源をカットする（インターロック用のスイッチをオフにする）必要があるが、３のカバーを開閉可能に構成した場合に、供給電源をカットするスイッチをそれぞれのカバーに設けると、スイッチの数が多くなってしまうという問題がある。
【０００４】
この発明の目的は、以上のような問題を解決し、スイッチの数を少なくすることができる画像形成装置を提供することにある。
【０００５】
【課題を解決するための手段】
上記目的を達成するために請求項１記載の画像形成装置は、装置ケースの相隣接する３つの面を、それぞれ開閉可能な第１，第２，第３カバーで構成し，各カバーには，閉じたときに装置内へ向かう突部を設けるとともに、これら第１，第２，第３カバーが設けられている３つの面で形成される角部内側に，インターロック機構を設け，
このインターロック機構は，
装置への供給電源をオン／オフするスイッチと、
このスイッチをオンさせない非作動位置とオンさせる作動位置とをとり得る第１部材と、
装置内に起立した側部フレームの側面に沿ってスライドおよび揺動可能に取り付けられ，前記第１カバーが閉じられたとき第１カバーの突部と当接してスライドし，前記第２カバーが閉じられたとき第２カバーの突部と当接して揺動し，前記第１カバーおよび第２カバーがともに閉じられたときにのみスライドかつ揺動することで上記第１部材を上記非作動位置から作動可能位置へ移動させる第２部材と、
前記装置内に起立した側部フレームに直交する水平軸で該フレームの側面に沿って回動可能に取り付けられ，かつ前記第１部材が前記水平軸とは別の水平軸で回動可能に取り付けられていて，前記第３カバーが閉じられたとき第３カバーの突部と当接して揺動することで，上記第１部材を上記非作動位置から作動可能位置へ移動させる第３部材とを備え、
上記第１カバーおよび第２カバーがともに閉じられることで第２部材がスライドかつ揺動して上記第１部材を作動可能位置に移動させ，かつ第３部材が第３カバーの突部と当接して揺動し上記第１部材を作動可能位置に移動させた場合にのみ、当該第１部材が上記作動位置をとるインターロック機構であることを特徴とする。
【０００６】
【作用効果】
請求項１記載の画像形成装置は、装置ケースの相隣接する３つの面を、それぞれ開閉可能な第１，第２，第３カバーで構成し，各カバーには，閉じたときに装置内へ向かう突部を設けるとともに、これら第１，第２，第３カバーが設けられている３つの面で形成される角部内側に，インターロック機構を設け，
このインターロック機構は，
装置への供給電源をオン／オフするスイッチと、
このスイッチをオンさせない非作動位置とオンさせる作動位置とをとり得る第１部材と、
装置内に起立した側部フレームの側面に沿ってスライドおよび揺動可能に取り付けられ，前記第１カバーが閉じられたとき第１カバーの突部と当接してスライドし，前記第２カバーが閉じられたとき第２カバーの突部と当接して揺動し，前記第１カバーおよび第２カバーがともに閉じられたときにのみスライドかつ揺動することで上記第１部材を上記非作動位置から作動可能位置へ移動させる第２部材と、
前記装置内に起立した側部フレームに直交する水平軸で該フレームの側面に沿って回動可能に取り付けられ，かつ前記第１部材が前記水平軸とは別の水平軸で回動可能に取り付けられていて，前記第３カバーが閉じられたとき第３カバーの突部と当接して揺動することで，上記第１部材を上記非作動位置から作動可能位置へ移動させる第３部材とを備え、
上記第１カバーおよび第２カバーがともに閉じられることで第２部材がスライドかつ揺動して上記第１部材を作動可能位置に移動させ，かつ第３部材が第３カバーの突部と当接して揺動し上記第１部材を作動可能位置に移動させた場合にのみ、当該第１部材が上記作動位置をとるインターロック機構であるので、この画像形成装置によれば、次のような作用効果が得られる。
すなわち、装置ケースの相隣接する３つの面を、それぞれ開閉可能な第１，第２，第３カバーで構成してあるので、１面あるいは２面にのみ開閉可能なカバーが設けられている場合に比べて、詰まった用紙を容易に除去し、あるいは、装置内に組み込まれたユニットを容易に着脱することができるようになる。
そして、インターロック機構は、装置への供給電源をオン／オフするスイッチと、このスイッチをオンさせない非作動位置とオンさせる作動位置とをとり得る第１部材と、前記第１カバーおよび第２カバーがともに閉じられたときに上記第１部材を上記非作動位置から作動可能位置へ移動させる第２部材と、前記第３カバーが閉じられたときに上記第１作動部材を上記非作動位置から作動位置へ移動させる第３部材とを備え、上記第２部材および第３部材がともに上記第１部材を作動位置に移動させた際、当該第１部材が上記作動位置をとる構成となっているので、第１，第２，第３カバーの全てが閉じられなければ、第１部材は上記作動位置をとらない。
したがって、この構成によれば、３つの開閉カバーを有する画像形成装置のインターロック機構を１つのスイッチで構成することができる。
さらに，この画像形成装置によれば、前記インターロック機構は、前記第１，第２，第３カバーが設けられている３つの面で形成される角部内側に配置されているので、デッドスペースとなりがちな装置角部内側を有効に利用してインターロック機構を構成することができる。しかも、上記第１カバー、第２カバーと第２部材との連動、および上記第３カバーと第３部材との連動を良好に行うことができる。
【０００７】
【発明の実施の形態】
以下、本発明の実施の形態について図面を参照して説明する。
図１は本発明に係るインターロック機構およびこれを用いた画像形成装置の一実施の形態を示す概略斜視図、図２は図１における矢印ＩＩ方向からみた内部構造を示す図である。
【０００８】
この画像形成装置は、用紙の両面にフルカラー画像を形成することのできる装置であり、ケース１０と、このケース１０内に収容された、像担持体ユニット２０と、露光手段としての露光ユニット３０と、現像手段としての現像装置４０と、中間転写体ユニット５０と、定着手段としての定着ユニット６０とを備えている。
【０００９】
ケース１０には装置本体のフレーム（図１においては示されていない）が設けられており、このフレームに各ユニット等が取り付けられている。
【００１０】
像担持体ユニット２０は、外周面に感光層を有する感光体（像担持体）２１と、この感光体２１の外周面を一様に帯電させる帯電手段としてのコロナ放電帯電器２２とを有しており、この帯電器２２により一様に帯電させられた感光体２１の外周面を露光ユニット３０からのレーザー光Ｌで選択的に露光して静電潜像を形成し、この静電潜像に現像装置４０で現像剤であるトナーを付与して可視像（トナー像）とし、このトナー像を中間転写体ユニット５０の中間転写体（中間転写ベルト）５１に一次転写部Ｔ１で一次転写し、さらに、二次転写部Ｔ２で、転写対象である用紙に二次転写させるようになっている。
【００１１】
図１に示すように、ケース１０内には、上記二次転写部Ｔ２により片面に画像が形成された用紙をケース１０上面の用紙排出部（排紙トレイ部）１５に向けて搬送する搬送路１６と、この搬送路１６により用紙排出部１５に向けて搬送された用紙をスイッチバックさせて他面にも画像を形成すべく前記二次転写部Ｔ２に向けて返送する返送路１７とが設けられている。
ケース１０の下部には、複数枚の用紙を積層保持する給紙トレイ１８と、その用紙を一枚ずつ上記二次転写部Ｔ２に向けて給送する給紙ローラ１９とが設けられている。
【００１２】
現像装置４０はロータリ現像装置であり、回転体本体４１に対して、複数の現像器カートリッジが着脱可能に装着されている。この実施の形態では、イエロー用の現像器カートリッジ４２Ｙと、マゼンタ用の現像器カートリッジ４２Ｍと、シアン用の現像器カートリッジ４２Ｃと、ブラック用の現像器カートリッジ４２Ｋとが設けられていて（図ではイエロー用の現像器カートリッジ４２Ｙのみを直接描いてある）、回転体本体４１が矢印方向に９０&deg;ピッチで回転することによって、感光体２１に現像ローラ４３を選択的に当接させ、感光体２１の表面を選択的に現像することが可能となっている。
【００１３】
露光ユニット３０は、板ガラス等で構成された露光窓３１から上記レーザー光Ｌを感光体２１に向けて照射するようになっている。
【００１４】
中間転写体ユニット５０は、図示しないユニットフレームと、このフレームで回転可能に支持された駆動ローラ５４，従動ローラ５５，一次転写ローラ５６、一次転写部Ｔ１でのベルト５１の状態を安定させるためのガイドローラ５７，およびテンションローラ５８と、これらローラに掛け回されて張架された前記中間転写ベルト５１とを備えており、ベルト５１が図示矢印方向に循環駆動される。感光体２１と一次転写ローラ５６との間において前記一次転写部Ｔ１が形成されており、駆動ローラ５４と本体側に設けられた二次転写ローラ１０ｂとの圧接部において前記二次転写部Ｔ２が形成される。
二次転写ローラ１０ｂは、前記駆動ローラ５４に対して（したがって中間転写ベルト５１に対して）接離可能であり、接触した際に二次転写部Ｔ２が形成される。
したがって、カラー画像を形成する際には、二次転写ローラ１０ｂが中間転写ベルト５１から離間している状態で中間転写ベルト５１上において複数色のトナー像が重ね合わされてカラー画像が形成され、その後、二次転写ローラ１０ｂが中間転写ベルト５１に当接し、その当接部（二次転写部Ｔ２）に用紙が供給されることによって用紙上にトナー画像が転写されることとなる。
トナー像が転写された用紙は、定着ユニット６０の加熱ローラ対６１を通ることでトナー像が定着され、上記排紙トレイ部１５に向けて排出される。
【００１５】
図１，図２、および図３に示すように、装置ケース１０の相隣接する３つの面、この実施の形態では上面、正面、側面を、それぞれ開閉可能な第１カバー（以下上面カバーともいう）７０，第２カバー（以下前面カバーともいう）８０，第３カバー（以下側面カバーともいう）９０で構成してある。
【００１６】
図４は上記カバー７０，８０，９０と、本体フレームの一部１１とを示す図で、同図および、図２に示すように、上面カバー７０は、軸７１，７１によって装置本体に回動可能に取り付けられている。また、前面カバー８０は、軸８１，８１によって装置本体に回動可能に取り付けられている。側面カバー９０は、軸９１，９１によって装置本体に回動可能に取り付けられている。
【００１７】
図５（ｂ）に示すように、上面カバー７０と前面カバー８０との接合部（符号Ｊ参照）には、係脱部Ｊが設けられている。
係脱部Ｊは、図３にも示すように、上面カバー７０の補強板部７２の左右両側に設けられた穴７３と、図５（ｂ）に示すように上面カバー７０が閉じられた状態で前面カバー８０が閉じられた際に上記穴７３に挿入されて係合する、前面カバー８０の内面に設けられた突起８２とで構成されている。
【００１８】
図５および図６に示すように、前面カバー８０の内側上部にはスライダ８３が設けられている。
スライダ８３には、上記突起８２の幅よりも長い角穴８４，８４が設けられており、この角穴８４に上記突起８２が挿入されていることによって、スライダ８３は、突起８２が角穴８４内を相対的に移動し得る範囲内においてスライド可能となっている。スライダ８３には、これをスライド操作するための摘み８５が設けられており、この摘み８５は、前面カバー８０の上面に設けられた切り欠き８６からカバー外へ突出している。スライダ８３の両端部には装置内方に突出した爪８７，８７が設けられており、この爪８７，８７が、前述した定着ユニット６０のユニットケース６２の両端部に設けられた係合部６３，６３と係脱可能に構成されている。
したがって、図５（ａ）において摘み８６を摘んでスライダ８３を矢印Ｘ方向へスライドさせ、爪８７と係合部６３との係合を外すことによって前面カバー８０を開くことができ、また、前面カバー８０を閉じて爪８７と係合部６３とを係合させることによって、前面カバー８０を閉じ位置に保持することができる。
【００１９】
図５（ｂ）から明らかなように、上面カバー７０と前面カバー８０とが適正に閉じられた状態では、前面カバー８０の突起８２が上面カバー７０の穴７３に挿入され、これによって上面カバー７０は開くことができないように保持（支持）されている。また、同図から明らかなように、上面カバー７０を閉じてから前面カバー８０を閉じないと、これら両カバーは適正には閉じられないようになっている。すなわち、前面カバー８０を閉じてから上面カバー７０を閉じようとすると、その補強板部７２の下縁が前面カバー８０の突起８２に上方から当接して上面カバー７０を適切には閉じることができない。
【００２０】
図６および図３から明らかなように、上面カバー７０と前面カバー８０との接合部（図５（ｂ）の符号Ｊ参照））における装置内側には、接合部に沿うフレームは設けられていない（除去されている）。
【００２１】
図３において、１１ａは図２に示した像担持体ユニット２０の抜き差し用の穴、１１ｂは現像器カートリッジ４２（Ｙ、Ｍ，Ｃ，Ｋ）の抜き差し用の穴、１１ｃは中間転写ベルト５１から除去された廃トナーの収容タンク５９および排気ダクトＤに設けられたフィルタユニットＦの抜き差し用の穴である。これらの穴は、装置本体の側部フレーム１１に設けられている。
【００２２】
例えば以上のように、３のカバー７０，８０，９０を開閉可能に構成した画像形成装置においては、いずれかのカバーが開かれているときには、ユーザーによる何らかの作業（詰まった紙の除去作業、ユニットの着脱作業等）が行われているということであるから、インターロック機構により装置の供給電源をカットする（オフにする）必要があるが、供給電源をカットするスイッチをそれぞれのカバーに設けると、スイッチの数が多くなってしまう。
【００２３】
そこで、この実施の形態では、図４および図７に示すように、以下に説明するようなインターロック機構１００を、上記３つのカバー７０，８０，９０が設けられている３つの面（上面、前面、一側面）で形成される角部内側に設けてある。
【００２４】
インターロック機構１００は、図８（ａ）にその拡大図を、また、図８（ｂ）に図（ａ）におけるｂ−ｂ切断端面図を示すように、装置本体の供給電源をオン／オフするためのスイッチ１０１と、このスイッチ１０１をオンさせない（オフにする）非作動位置（図８〜図１０参照）とオンさせる作動位置（図１１参照）とをとり得る第１部材１１０と、この第１部材１１０を上記非作動位置と作動可能位置とに移動させ得る第２部材１２０と、上記第１部材１１０を上記非作動位置と作動可能位置とに移動させ得る第３部材１３０とを備え、第２部材１２０および第３部材１３０がともに第１部材１１０を作動可能位置に移動させた際、第１部材１１０が上記作動位置（図１１参照）をとるように構成されている。
【００２５】
スイッチ１０１は、前述したフレーム１１に取り付けられている。
【００２６】
第１部材１１０は、軸１１１で第３部材１３０に対して回動可能に取り付けられており、その先端部１１２がスイッチ１０１の作動子１０２に軽く当接している。図８（ａ）に示す状態では、第１部材１１０の先端部１１２は、スイッチ１０１の作動子１０２の上に軽く乗っているだけであるから、作動子１０２を揺動させて接点１０３に接触させる（オンにする）ということはない。
【００２７】
第２部材１２０は、図８（ｂ）にも示すように、フレーム１１に沿わせて設けられている。第２部材１２０の下部１２１は、図８（ｂ）に示すように断面クランク状に形成されており、この下部１２１が、フレーム１１に形成された開口１１ｄに挿通されている。したがって、第２部材１２０は、その下部１２１が開口１１ｄ内を移動し得る範囲内において上下動および回動可能であるが、第２部材１２０とフレーム１１との間には引っ張りバネ１２２が設けられており、このバネ１２２の引っ張り作用によって図示の位置に付勢されている。
第２部材１２０の上部には、上面カバー７０と後述するようにして当接する上当接部１２３（図４参照）が設けられている。また、第２部材１２０の下部１２１には、前面カバー８０と後述するようにして当接するカバー当接部１２４と、前記第１部材１１０と後述するようにして当接する当接部１２５とが設けられている。
【００２８】
第３部材１３０は、軸１３１でフレーム１１の支持部１１ｅに対して回動可能に取り付けられている。第３部材１３０とフレーム１１の折り曲げ部１１ｆとの間には圧縮バネ１３２が設けられており、このバネ１３２の作用によって第３部材１３０は時計方向へ付勢されているが、第３部材１３０に設けられた突部１３３が上記フレーム１１の折り曲げ部１１ｆに当接することによって、その回動が規制されている。
また、第３部材１３０には、側面カバー９０と後述するようにして当接する当接部１３４が設けられている。
【００２９】
一方、図７および図４に示すように、上面カバー７０には、これが適正に閉じられたときに上記第２部材１２０の上当接部１２３と当接する突部７４が設けられている（図９参照）。前面カバー８０には、これが適正に閉じられたときに上記第２部材１２０のカバー当接部１２４と当接する突部８８が設けられている（図１０参照）。側面カバー９０には、これが適正に閉じられたときに上記第３部材１３０の当接部１３４に当接する突部９２が設けられている（図１１参照）。
【００３０】
以上のようなインターロック機構１００は、次のように作動する。
図７および図８に示すように、３つのカバー７０，８０，９０が全て開かれている状態では、各部材は前述したように図８に示す位置にある。すなわち第１部材１１０は、前述したように、その先端部１１２がスイッチ１０１の作動子１０２に軽く当接しているだけであり、スイッチ１０１をオンさせない非作動位置にある。
【００３１】
図７，図８に示した状態から図９に示すように、上面カバー７０が適正に閉じられると、その突部７４が第２部材１２０の上当接部１２３に当接し、第２部材１２０が引っ張りバネ１２２の付勢力に抗して押し下げられる。
しかしながら、この状態でも図９（ｂ）に示すように、依然として第１部材１１０は、その先端部１１２がスイッチ１０１の作動子１０２に軽く当接しているだけであり、スイッチ１０１をオンさせない非作動位置にある。
【００３２】
図９に示した状態から図１０に示すように、さらに前面カバー８０が適正に閉じられると、その突部８８が第２部材１２０のカバー当接部１２４に当接し、第２部材１２０が引っ張りバネ１２２の付勢力に抗して図１０に示すように時計方向へ回動する。
この回動によって、第２部材１２０の前述した当接部１２５は第１部材１１０と当接し得る位置まで移動するが、この状態でも図１０（ｂ）に示すように、依然として第１部材１１０は、その先端部１１２がスイッチ１０１の作動子１０２に軽く当接しているだけであり、スイッチ１０１をオンさせない非作動位置にある。
【００３３】
図１０に示した状態から図１１に示すように、さらに側面カバー９０が適正に閉じられると、その突部９２が第３部材１３０の当接部１３４に当接し、第３部材１３０が圧縮バネ１３２の付勢力に抗して図１１に示すように反時計方向へ回動する。
これによって図１１（ｂ）に示すように、第１部材１１０が右方に移動させられるとともに、この移動の過程で第１部材１１０の中間部１１３が第２部材１２０の当接部１２５に当接して第１部材１１０が時計方向へ回動し、上記先端部１１２に連なる略水平方向の作動面１１４がスイッチ１０１の作動子１０２を押し下げて接点１０３に接触させ、スイッチ１０１をオンさせる。これによって、装置への電源が供給されることとなる。
【００３４】
以上から明らかなように、このインターロック機構１００によれば、３つのカバー７０，８０，９０が全て適正に閉じられた状態とならなければ、スイッチ１０１がオンせず、装置への電源は供給されない。
なお、念のためにさらに説明すると、図１１に示す状態から前面カバー８０が開けられたとすると（前述したように前面カバー８０が開けられない限り上面カバー７０が開けられるということはない）、前面カバー８０の突部８８による第２部材１２０のカバー当接部１２４への当接が解除されることとなるから、第２部材１２０が引っ張りバネ１２２の付勢力により反時計方向へ回動する。この回動により第２部材１２０の当接部１２５による第１部材１１０への当接が解除されるから、第１部材１１０はスイッチ１０１の作動子１０２自体の復帰力によって反時計方向へ回動し、スイッチ１０１がオフ状態（装置への給電がカットされた状態）となる。
また、図１１に示す状態から側面カバー９０が開けられたとすると、図１０に示した状態に戻るから、やはりスイッチ１０１がオフ状態（装置への給電がカットされた状態）となる。
【００３５】
以上のようなインターロック機構ないした画像形成装置によれば、次のような作用効果が得られる。
（ａ）インターロック機構１００は、供給電源をオン／オフするスイッチ１０１と、このスイッチ１０１をオンさせない非作動位置とオンさせる作動位置とをとり得る第１部材１１０と、この第１部材１１０を上記非作動位置と作動可能位置とに移動させ得る第２部材１２０と、上記第１部材１１０を上記非作動位置と作動可能位置とに移動させ得る第３部材１３０とを備え、上記第２部材１２０および第３部材１３０がともに上記第１部材１１０を作動可能位置に移動させた際、当該第１部材が上記作動位置をとる構成となっているので、このインターロック機構１００によれば次のような作用効果が得られる。
すなわち、上記第２部材１２０および第３部材１３０がともに上記第１部材１１０を作動可能位置に移動させた際、当該第１部材１１０が上記作動位置をとる構成となっているので、第２部材１２０まはた第３部材１３０のいずれかが上記第１部材１１０を作動可能位置に移動させたとしても、第１部材１１０は上記作動位置をとらない。
したがって、この構成によれば、１つのスイッチ１０１でインターロック機構を構成することができ、例えば、上述した実施の形態の画像形成装置のように、３つのカバー７０，８０，９０を上記第２，第３部材１２０，１３０と連動させることによって、３つの開閉カバーを有する画像形成装置のインターロック機構を１つのスイッチで構成することができる。
（ｂ）この実施の形態の画像形成装置は、装置ケース１０の相隣接する３つの面を、それぞれ開閉可能な第１，第２，第３カバー７０，８０，９０で構成するとともに、装置への供給電源をオン／オフするスイッチ１０１と、このスイッチ１０１をオンさせない非作動位置とオンさせる作動位置とをとり得る第１部材１１０と、第１カバー７０および第２カバー８０がともに閉じられたときに第１部材１１０を上記非作動位置から作動可能位置へ移動させる第２部材１２０と、第３カバー９０が閉じられたときに第１作動部材１１０を上記非作動位置から作動位置へ移動させる第３部材１３０とを備え、上記第２部材１２０および第３部材１３０がともに第１部材１１０を作動位置に移動させた際、第１部材１１０が上記作動位置をとるインターロック機構１００を設けた構成としてあるので、この画像形成装置によれば、次のような作用効果が得られる。
すなわち、装置ケースの相隣接する３つの面を、それぞれ開閉可能な第１，第２，第３カバー７０，８０，９０で構成してあるので、１面あるいは２面にのみ開閉可能なカバーが設けられている場合に比べて、詰まった用紙を容易に除去し、あるいは、装置内に組み込まれたユニットを容易に着脱することができるようになる。
そして、インターロック機構１００は、装置への供給電源をオン／オフするスイッチ１０１と、このスイッチ１０１をオンさせない非作動位置とオンさせる作動位置とをとり得る第１部材１１０と、第１カバー７０および第２カバー８０がともに閉じられたときに第１部材１１０を上記非作動位置から作動可能位置へ移動させる第２部材１２０と、第３カバー９０が閉じられたときに第１作動部材１１０を上記非作動位置から作動位置へ移動させる第３部材１３０とを備え、第２部材１２０および第３部材１３０がともに第１部材１１０を作動位置に移動させた際、第１部材１１０が上記作動位置をとる構成となっているので、第１，第２，第３カバー７０，８０，９０の全てが閉じられなければ、第１部材１１０は上記作動位置をとらない。
したがって、この構成によれば、３つの開閉カバー７０，８０，９０を有する画像形成装置のインターロック機構を１つのスイッチ１０１で構成することができる。
（ｃ）インターロック機構１００は、第１，第２，第３カバー７０，８０，９０が設けられている３つの面で形成される角部内側に配置されているので、デッドスペースとなりがちな装置角部内側を有効に利用してインターロック機構１００を構成することができる。しかも、第１カバー、第２カバー７０，８０と第２部材１２０との連動、および第３カバー９０と第３部材１３０との連動を良好に行うことができる。
【００３６】
（ｄ）装置ケース１０の相隣接する２つの面を、それぞれ開閉可能なカバー７０，８０で構成し、これらカバ−７０，８０同士の接合部Ｊに係脱部を設けて一方のカバー８０で他方のカバー７０を支持する構成とし、接合部Ｊにおける装置内側において接合部Ｊに沿うフレームを除去した構成としてあるので、フレームが邪魔にならず、詰まった用紙を一層容易に除去することが可能となる。
【００３７】
以上、本発明の実施の形態について説明したが、本発明は上記の実施の形態に限定されるものではなく、本発明の要旨の範囲内において適宜変形実施可能である。
【００３８】
【発明の効果】
請求項１記載の画像形成装置によれば、１面あるいは２面にのみ開閉可能なカバーが設けられている場合に比べて、詰まった用紙を容易に除去し、あるいは、装置内に組み込まれたユニットを容易に着脱することができるようになる。
しかも、３つの開閉カバーを有する画像形成装置のインターロック機構を１つのスイッチで構成することができる。
さらに、請求項１記載の画像形成装置によれば、デッドスペースとなりがちな装置角部内側を有効に利用してインターロック機構を構成することができる。しかも、第１カバー、第２カバーと第２部材との連動、および上記第３カバーと第３部材との連動を良好に行うことができる。
【００３９】
【図面の簡単な説明】
【図１】本発明に係るインターロック機構およびこれを用いた画像形成装置の一実施の形態を示す概略斜視図。
【図２】図１における矢印ＩＩ方向からみた内部構造を示す図。
【図３】３つのカバー７０，８０，９０を開いた状態の斜視図。
【図４】カバー７０，８０，９０と、本体フレームの一部１１とを示す斜視図。
【図５】（ａ）は定着ユニット６０と前面カバー８０とを示す平面図、（ｂ）は係脱部Ｊを示す断面図。
【図６】定着ユニット６０、上面カバー７０，および前面カバー８０を示す斜視図。
【図７】インターロック機構１００と３つのカバー７０，８０，９０とを示す側面図。
【図８】（ａ）はインターロック機構１００を示す拡大図、（ｂ）は図（ａ）におけるｂ−ｂ切断端面図。
【図９】（ａ）（ｂ）は作動説明図。
【図１０】（ａ）（ｂ）は作動説明図。
【図１１】（ａ）（ｂ）は作動説明図。
【符号の説明】
１０    装置ケース
７０    第１カバー
８０    第２カバー
９０    第３カバー
１００    インターロック機構
１０１    スイッチ
１１０    第１部材
１２０    第２部材
１３０    第３部材
【図１】
0004138351.tif 000002
【図２】
0004138351.tif 000003
【図３】
0004138351.tif 000004
【図４】
0004138351.tif 000005
【図５】
0004138351.tif 000006
【図６】
0004138351.tif 000007
【図７】
0004138351.tif 000008
【図８】
0004138351.tif 000009
【図９】
0004138351.tif 000010
【図１０】
0004138351.tif 000011
【図１１】
0004138351.tif 000012